(57)【要約】  本発明の実施例は液晶表示パネルの色ズレ補償方法を開示し、さらに別の液晶表示パネルの色ズレ補償方法及び液晶表示パネルの色ズレ補償システムを開示する。該方法は、液晶表示パネルの扇状の配線時の各配線インピーダンスを獲得し、前記獲得された各配線インピーダンスに基づき、各配線インピーダンスとチャネルとの相関曲線を獲得することと、前記獲得された各配線インピーダンスとチャネルとの相関曲線に基づき、各チャネルの出力端における実際のスラスト曲線を獲得することと、前記獲得された実際のスラスト曲線に基づき、各チャネルの出力端におけるＭＯＳトランジスタの断面積の大きさを調整することと、を含む。本発明の実施例は、従来技術における液晶表示パネルに色ズレが発生する問題を解決する。
2017501444.tif 000002
【特許請求の範囲】
【請求項１】
液晶表示パネルの色ズレ補償方法であって、
液晶表示パネルの扇状の配線における各配線インピーダンスを獲得し、前記獲得された各配線インピーダンスに基づき、各配線インピーダンスとチャネルとの相関曲線を得ることと、
前記得られた各配線インピーダンスとチャネルとの相関曲線に基づき、各チャネルの出力端における実際のスラスト曲線を獲得することと、
前記獲得された実際のスラスト曲線に基づき、各チャネルの出力端におけるＭＯＳトランジスタの断面積の大きさを調整することと、
を含むことを特徴とする液晶表示パネルの色ズレ補償方法。
【請求項２】
前記各配線インピーダンスは、各配線の長さ及び幅に基づいて算出し獲得されることを特徴とする請求項１に記載の方法。
【請求項３】
前記得られた各配線インピーダンスとチャネルとの相関曲線に基づき、各チャネルの出力端における実際のスラスト曲線を獲得する具体的なステップは、
前記得られた各配線インピーダンスとチャネルとの相関曲線に基づき、各チャネルに関係する各配線の出力電圧を獲得し、各チャネルのスラストを予め設定することと、
それぞれのチャネルにおける予め設定したスラストが前記チャネルにおける各配線の出力電圧をいずれも所定の画素充電電圧に達するようにするか否かを判断することと、
そうである場合、実際のスラストは前記それぞれのチャネルにおける予め設定したスラストであり、そうでない場合、同一チャネルにおける前記各配線の出力電圧がいずれも所定の画素充電電圧に達するように、前記チャネルにおける各配線の出力電圧が所定の画素充電電圧に達していない予め設定したスラストを補正し、前記補正された予め設定したスラストを実際のスラストとすることと、
前記得られた実際のスラストに基づき、各チャネルの出力端における実際のスラスト曲線を獲得することと、
を含むことを特徴とする請求項１に記載の方法。
【請求項４】
前記獲得された実際のスラスト曲線に基づき、各チャネルの出力端におけるＭＯＳトランジスタの断面積の大きさを調整する具体的なステップは、
前記獲得された実際のスラスト曲線に基づき、各チャネルのスラストのバッファ領域を構築し、各チャネルの出力端におけるＭＯＳトランジスタの断面積の大きさを調整することであることを特徴とする請求項１に記載の方法。
【請求項５】
前記各チャネルの出力端におけるＭＯＳトランジスタの断面積の大きさは前記各チャネルのスラストに正比例することを特徴とする請求項４に記載の方法。
【請求項６】
前記液晶表示パネルは多結晶薄膜トライゲートトランジスタの液晶表示パネルであることを特徴とする請求項１に記載の方法。
【請求項７】
液晶表示パネルの色ズレ補償方法であって、
液晶表示パネルの扇状の配線時の各配線インピーダンスを獲得し、前記獲得された各配線インピーダンスに基づき、各配線インピーダンスとチャネルとの相関曲線を得ることと、
前記得られた各配線インピーダンスとチャネルとの相関曲線に基づき、各チャネルに関係する各配線の出力電圧を獲得し、各チャネルのスラストを予め設定することと、
それぞれのチャネルにおける予め設定したスラストが前記チャネルにおける各配線の出力電圧をいずれも所定の画素充電電圧に達するようにするか否かを判断することと、
そうである場合、実際のスラストは前記それぞれのチャネルにおける予め設定したスラストであり、そうでない場合、同一チャネルにおける前記各配線の出力電圧がいずれも所定の画素充電電圧に達するように、前記チャネルにおける各配線の出力電圧が所定の画素充電電圧に達していない予め設定したスラストを補正し、前記補正された予め設定したスラストを実際のスラストとすることと、
前記得られた実際のスラストに基づき、各チャネルの出力端における実際のスラスト曲線を獲得することと、
前記獲得された実際のスラスト曲線に基づき、各チャネルの出力端におけるＭＯＳトランジスタの断面積の大きさを調整することと、
を含むことを特徴とする液晶表示パネルの色ズレ補償方法。
【請求項８】
前記各配線インピーダンスは、各配線の長さ及び幅に基づいて算出し獲得されることを特徴とする請求項７に記載の方法。
【請求項９】
前記獲得された実際のスラスト曲線に基づき、各チャネルの出力端におけるＭＯＳトランジスタの断面積の大きさを調整する具体的なステップは、
前記獲得された実際のスラスト曲線に基づき、各チャネルのスラストのバッファ領域を構築し、各チャネルの出力端におけるＭＯＳトランジスタの断面積の大きさを調整することであることを特徴とする請求項７に記載の方法。
【請求項１０】
前記各チャネルの出力端におけるＭＯＳトランジスタの断面積の大きさは前記各チャネルのスラストに正比例することを特徴とする請求項９に記載の方法。
【請求項１１】
前記液晶表示パネルは、多結晶薄膜トライゲートトランジスタの液晶表示パネルであることを特徴とする請求項７に記載の方法。
【請求項１２】
液晶表示パネルの色ズレ補償システムであって、
液晶表示パネルの扇状の配線時の各配線インピーダンスを獲得し、前記獲得された各配線インピーダンスに基づき、各配線インピーダンスとチャネルとの相関曲線を得る第１獲得ユニットと、
前記得られた各配線インピーダンスとチャネルとの相関曲線に基づき、各チャネルの出力端における実際のスラスト曲線を獲得する第２獲得ユニットと、
前記獲得された実際のスラスト曲線に基づき、各チャネルの出力端におけるＭＯＳトランジスタの断面積の大きさを調整する調整ユニットと、
を含むことを特徴とする液晶表示パネルの色ズレ補償システム。
【請求項１３】
前記各配線インピーダンスは、各配線の長さ及び幅に基づいて算出し獲得されることを特徴とする請求項１２に記載のシステム。
【請求項１４】
前記各チャネルの出力端におけるＭＯＳトランジスタの断面積の大きさは前記各チャネルのスラストに正比例することを特徴とする請求項１２に記載のシステム。
【請求項１５】
前記液晶表示パネルは、多結晶薄膜トライゲートトランジスタの液晶表示パネルであることを特徴とする請求項１２に記載のシステム。
【発明の詳細な説明】
【技術分野】
【０００１】
本発明は表示技術分野に関し、特に液晶表示パネルの色ズレ補償方法及びシステムに関する。
本願は、２０１３年１２月２０日に中国専利局に提出された、出願番号２０１３１０７０８３５９．Ｘ、発明名称「液晶表示パネルの色ズレ補償方法及びシステム」である中国特許出願の優先権を主張し、上記特許の全ての内容はここでは参考として本願に引用される。
【背景技術】
【０００２】
従来のトライゲート型（Ｔｒｉ−ｇａｔｅ）の液晶表示パネルにおいて、トランジスタのソース側における各チャネルの出力電圧はいずれも同じく、形成されたスラストも同じであり、単色パターンにおけるトランジスタの各データバスの電圧値が一致し、それぞれの画素が等しい電位を獲得できることを保証するために、理論的にトランジスタのソース側の対応するユニットが扇状の配線時に各チャネルの各配線インピーダンスが一致することを要求している。
【０００３】
但し、狭額縁の液晶表示パネルにおいて、扇状の配線時に額縁の配線領域の面積が限られているため、各配線インピーダンスは完全に一致されにくく、両側の配線距離が中央部より遥かに長いため、中央部のインピーダンスは小さく、両側のインピーダンスが大きく表現されやすく、そのため、データバスに対応する両側の電圧は中央部の電圧よりヒステリシスが酷く、画素の充電時間が不足する場合、画素の保持する電位は好ましい電位に達しておらず、Ｒ又はＧ又はＢの輝度がやや暗く表示される。特に、狭額縁の液晶表示パネルが単分子膜トライゲートトランジスタの液晶表示パネルである場合、Ｒ＋Ｇ、Ｇ＋Ｂ又はＢ＋Ｒ等のグレースケールの混色画面に酷い両側の色ズレが発生するように表現され、色ズレの状況はそれぞれ濃い緑、濃い青又は濃い赤である。但し、狭額縁の液晶表示パネルが多結晶薄膜トライゲートトランジスタの液晶表示パネルである場合、垂直領域における色ズレが発生することに表現される。
【０００４】
単分子膜トライゲートトランジスタの液晶表示パネルにＲ＋Ｇのグレースケールの混色画面が発生することを例とし、トランジスタのソース側のチャネルのユニットの中央部及び両側における出力電圧の変化過程に対応するデータ曲線を示す図１を参照して、対応的に出力電圧とチャネルとの相関曲線がＡ、Ｂ、Ｃの三点である曲線を獲得し、図２に示すように、そのうちの両側のＢ、Ｃ点の曲線における画素電圧のヒステリシスが酷いため、画素電圧の上昇又は降下時間を緩慢にする。電源からＲ＋Ｇのグレースケールの混色画面（Ｒ：２５５階調、Ｇ：２５５階調、Ｂ：０階調）が出力された場合、電圧は出力端及びＷＯＡ（Ｗｉｒｉｎｇ  Ｏｎ  Ａｒｒａｙ、ワイヤリングオンアレイ）によるヒステリシスの後、ＢとＣの各チャネルにおけるそれぞれの画素のＲが２５５階調まで充電できず、それぞれの画素のＢも０階調にすぐ放電できないため、色ズレ現象が発生し、中央部分が黄となり、両側が緑となる。
【発明の概要】
【発明が解決しようとする課題】
【０００５】
本発明の実施例が解決しようとする技術的な課題は、液晶表示パネルの色ズレ補償方法及びシステムを提供することにより、従来技術における液晶表示パネルに色ズレが発生する問題を解決することである。
【課題を解決するための手段】
【０００６】
上記技術的課題を解決するために、本発明に採用される第１の技術的解決手段は、液晶表示パネルの色ズレ補償方法であり、該液晶表示パネルの色ズレ補償方法は、
液晶表示パネルの扇状の配線時の各配線インピーダンスを獲得し、前記獲得された各配線インピーダンスに基づき、各配線インピーダンスとチャネルとの相関曲線を得ることと、
前記得られた各配線インピーダンスとチャネルとの相関曲線に基づき、各チャネルの出力端における実際のスラスト曲線を獲得することと、
前記獲得された実際のスラスト曲線に基づき、各チャネルの出力端におけるＭＯＳトランジスタの断面積の大きさを調整することと、を含む。
【０００７】
前記各配線インピーダンスは、各配線の長さ及び幅によって算出し獲得する。
【０００８】
前記得られた各配線インピーダンスとチャネルとの相関曲線に基づき、各チャネルの出力端における実際のスラスト曲線を獲得する具体的なステップは、
前記得られた各配線インピーダンスとチャネルとの相関曲線に基づき、各チャネルに関係する各配線の出力電圧を獲得し、各チャネルのスラストを予め設定することと、
それぞれのチャネルの予め設定されたスラストが前記チャネルにおける各配線の出力電圧をいずれも所定の画素充電電圧に達するようにするか否かを判断することと、
そうである場合、実際のスラストは前記それぞれのチャネルにおける予め設定したスラストであり、そうでない場合は、同一チャネルにおける前記各配線の出力電圧がいずれも所定の画素充電電圧に達するように、前記チャネルにおける各配線の出力電圧が所定の画素充電電圧に達していない予め設定したスラストを補正し、前記補正された予め設定したスラストを実際のスラストとすることと、
前記得られた実際のスラストに基づき、各チャネルの出力端における実際のスラスト曲線を獲得することと、を含む。
【０００９】
前記獲得された実際のスラスト曲線に基づき、各チャネルの出力端におけるＭＯＳトランジスタの断面積の大きさを調整するステップは、具体的に、
前記獲得された実際のスラスト曲線に基づき、各チャネルのバッファ領域を構築し、各チャネルの出力端におけるＭＯＳトランジスタの断面積の大きさを調整することである。
前記各チャネルの出力端におけるＭＯＳトランジスタの断面積の大きさは前記各チャネルのスラストに正比例する。
前記液晶表示パネルは、多結晶薄膜トライゲートトランジスタの液晶表示パネルである。
【００１０】
上記技術的課題を解決するために、本発明に採用される第２の技術的解決手段は、液晶表示パネルの色ズレ補償方法であり、該液晶表示パネルの色ズレ補償方法は、
液晶表示パネルの扇状の配線時の各配線インピーダンスを獲得し、前記獲得された各配線インピーダンスに基づき、各配線インピーダンスとチャネルとの相関曲線を得ることと、
前記得られた各配線インピーダンスとチャネルとの相関曲線に基づき、各チャネルに関係する各配線の出力電圧を獲得し、各チャネルのスラストを予め設定することと、
それぞれのチャネルの予め設定されたスラストが前記チャネルにおける各配線の出力電圧をいずれも所定の画素充電電圧に達するようにするか否かを判断することと、  
そうである場合、実際のスラストは前記それぞれのチャネルにおける予め設定したスラストであり、そうでない場合は、同一チャネルにおける前記各配線の出力電圧がいずれも所定の画素充電電圧に達するように、前記チャネルにおける各配線の出力電圧が所定の画素充電電圧に達していない予め設定したスラストを補正し、前記補正された予め設定したスラストを実際のスラストとすることと、
前記得られた実際のスラストに基づき、各チャネルの出力端における実際のスラスト曲線を獲得することと、
前記獲得された実際のスラスト曲線に基づき、各チャネルの出力端におけるＭＯＳトランジスタの断面積の大きさを調整することと、を含む。
【００１１】
前記各配線インピーダンスは、各配線の長さと幅によって算出し獲得する。
【００１２】
前記獲得された実際のスラスト曲線に基づき、各チャネルの出力端におけるＭＯＳトランジスタの断面積の大きさを調整するステップは、具体的に、
前記獲得された実際のスラスト曲線に基づき、各チャネルのスラストのバッファ領域を構築し、各チャネルの出力端におけるＭＯＳトランジスタの断面積の大きさを調整することである。
前記各チャネルの出力端におけるＭＯＳトランジスタの断面積の大きさは前記各チャネルのスラストに正比例する。
【００１３】
前記液晶表示パネルは、多結晶薄膜トライゲートトランジスタの液晶表示パネルである。
【００１４】
上記技術的課題を解決するために、本発明に採用される第３の技術的解決手段は、液晶表示パネルの色ズレ補償システムであり、該液晶表示パネルの色ズレ補償システムは、
液晶表示パネルの扇状の配線時の各配線インピーダンスを獲得し、前記獲得された各配線インピーダンスに基づき、各配線インピーダンスとチャネルとの相関曲線を得る第１獲得ユニットと、
前記得られた各配線インピーダンスとチャネルとの相関曲線に基づき、各チャネルの出力端における実際のスラスト曲線を獲得する第２獲得ユニットと、
前記獲得された実際のスラスト曲線に基づき、各チャネルの出力端におけるＭＯＳトランジスタの断面積の大きさを調整する調整ユニットと、を含む。
【００１５】
前記各配線インピーダンスは、各配線の長さと幅によって算出し獲得する。
【００１６】
前記各チャネルの出力端におけるＭＯＳトランジスタの断面積の大きさは前記各チャネルのスラストに正比例する。
【００１７】
前記液晶表示パネルは、多結晶薄膜トライゲートトランジスタの液晶表示パネルである。
【発明の効果】
【００１８】
本発明の実施例を実施することにより、以下のような好適な効果を得られる。
１．トランジスタのソース側の各チャネルに、各配線の画素充電電圧によって変化するスラストを設けることにより、各配線の出力電圧をいずれも画素充電電圧に達するようにし、よって従来技術における液晶表示パネルのグレースケール混色画面におけるスラストが不足のため発生する色ズレ問題を解決し、画面表示の品質を向上している。
２．設けられたスラストが各チャネルの出力端におけるＭＯＳトランジスタの断面積の大きさに正比例するため、必要なスラストが小さいほど、ＭＯＳトランジスタの断面積も小さくなり、必要なスラストが大きいほど、ＭＯＳトランジスタの断面積も大きくなり、よってチップのサイズを大幅に減少させ、設計コストを低減している。
【図面の簡単な説明】
【００１９】
【図１】従来技術の液晶表示パネルにおける単分子膜トライゲートトランジスタのソース側のチャネルの出力電圧の変化過程に対応するデータ曲線を示す図である。
【図２】図１におけるＡ、Ｂ、Ｃ三点の出力電圧とチャネルとの相関曲線である。
【図３】本発明の第１実施例により提供される液晶表示パネルの色ズレ補償方法のフローチャートである。
【図４】本発明の第２実施例により提供される液晶表示パネルの色ズレ補償方法のフローチャートである。
【図５】本発明の第１、第２実施例により提供される液晶表示パネルの異なる位置におけるデータ線と配線インピーダンスとの相関曲線である。
【図６】本発明の第１、第２実施例により提供されるＩＣチップにおける各チャネルと実際のスラストとの相関曲線である。
【図７】本発明の第３実施例により提供される液晶表示パネルの色ズレ補償システムの構造図である。
【発明を実施するための形態】
【００２０】
以下、図面を参照し、本発明の好ましい実施例について説明する。
図３〜図６を参照し、本発明の液晶表示パネルの色ズレ補償方法の実施例について説明する。
【００２１】
図３は本発明の第１実施例により提供される液晶表示パネルの色ズレ補償方法のフローチャートである。本発明の実施例における液晶表示パネルの色ズレ補償方法は、ステップＳ３０１〜Ｓ３０３を含む。
【００２２】
ステップＳ３０１において、多結晶薄膜トライゲートトランジスタの液晶表示パネルである液晶表示パネルの扇状の配線時の各配線インピーダンスを獲得し、前記獲得された各配線インピーダンスに基づき、各配線インピーダンスとチャネルとの相関曲線を獲得し、具体的には、各配線の長さ及び幅に基づいて各配線インピーダンスを算出し、獲得した各配線インピーダンスに基づき、各配線インピーダンスとチャネルとの相関曲線を獲得する。
【００２３】
図５に示すように、液晶表示パネルの異なる位置におけるデータ線に対応する配線インピーダンスは異なり、それぞれのチャネルはそれぞれのデータ線に対応し、該データ線は画素の充電電圧を伝送するのに用いられ、それぞれのＲＧＢサブ画素はいずれも対応するデータ線により充電され、各配線インピーダンスが異なるため、同一チャネルにおける各配線に対応する画素の充電電圧は異なる。
【００２４】
ステップＳ３０２において、前記獲得された各配線インピーダンスとチャネルとの相関曲線に基づいて、各チャネルの出力端における実際のスラスト曲線を獲得し、具体的には、得られた各配線インピーダンスとチャネルとの相関曲線に基づいて、各チャネルに関係する各配線の出力電圧を獲得し、各チャネルのスラストを予め設定する。各配線インピーダンスは液晶表示パネルユニットの設計と製造の完了後に固定されるため、各配線に対応する画素の充電電圧を保証するために、従来のＩＣチップにおける各チャネルにはいずれも予め設定したスラストが有り、予め設定されたスラストはいずれも同じく、同時に各配線インピーダンスが異なるため、一部のチャネルのスラストが足りない現象が発生する可能性がある。
【００２５】
次に、それぞれのチャネルにおける予め設定されたスラストが該チャネルにおける各配線の出力電圧をいずれも所定の画素充電電圧に達するようにするか否かを判断し、そうである場合、実際のスラストはそれぞれのチャネルにおける予め設定したスラストであり、そうでない場合は、同一チャネルにおける各配線の出力電圧がいずれも所定の画素充電電圧に達するように、チャネルにおける各配線の出力電圧が所定の画素充電電圧に達していない予め設定したスラストを補正し、補正された予め設定したスラストを実際のスラストとし、得られた実際のスラストに基づき、各チャネルの出力端における実際のスラスト曲線を獲得し、図６に示すように、該図はＩＣチップにおける各チャネルと実際のスラストとの相関曲線である。
【００２６】
ステップＳ３０３において、前記獲得された実際のスラスト曲線に基づき、各チャネルのスラストに正比例する各チャネルの出力端におけるＭＯＳトランジスタの断面積の大きさを調整し、具体的には、獲得された各チャネルの出力端における実際のスラスト曲線に基づき、各チャネルのスラストのバッファ領域を構築し、各チャネルの出力端におけるＭＯＳトランジスタの断面積の大きさを調整する。
【００２７】
ＭＯＳトランジスタの断面積が大きいほど、単位時間内に通過する電荷が多くなるため、流れる電流も大きくなり、チャネルにおけるスラストが大きく表現され、ＭＯＳトランジスタの断面積が小さく、配線インピーダンスが大きい場合、データ波形の変化速度（例えば、図２に示すＢ、Ｃ二点）に影響を与え、上昇時間と降下時間がいずれも長くなり、最悪の場合は達した画素電圧が実際の所定の画素電圧（例えば、図２に示すＢ、Ｃ二点とＡ点との関係）ではなく、色ズレ現象が発生する可能性がある。色ズレ現象を解決するために、ＩＣチップの各チャネルのスラストを同時に増加する場合、ＭＯＳトランジスタの断面積を増加しなければならないため、そのチップの面積を大きくしなければならず、コストは大幅に向上される。本実施例により各チャネルに必要な実際のスラストを獲得することができるため、獲得された各チャネルの出力端における実際のスラスト曲線に基づき、必要に応じて配分することで各チャネルの出力端におけるＭＯＳトランジスタの断面積の大きさを調整することができ、よってコストを下げる。
【００２８】
図４は本発明の第２実施例により提供される液晶表示パネルの色ズレ補償方法のフローチャートである。本発明の実施例における液晶表示パネルの色ズレ補償方法は、ステップＳ４０１〜Ｓ４０７を含む。
【００２９】
ステップＳ４０１において、多結晶薄膜トライゲートトランジスタの液晶表示パネルである液晶表示パネルの扇状の配線時の各配線インピーダンスを獲得し、前記獲得された各配線インピーダンスに基づいて、各配線インピーダンスとチャネルとの相関曲線を獲得し、具体的には、各配線の長さ及び幅に基づいて各配線のインピーダンスを算出し、獲得された各配線インピーダンスに基づき、各配線インピーダンスとチャネルとの相関曲線を獲得する。
【００３０】
図５に示すように、液晶表示パネルの異なる位置におけるデータ線に対応する配線インピーダンスは異なり、それぞれのチャネルはそれぞれのデータ線に対応し、該データ線は画素の充電電圧を伝送するのに用いられ、それぞれのＲＧＢサブ画素はいずれも対応するデータ線により充電され、各配線インピーダンスが異なるため、同一チャネルにおける各配線に対応する画素の充電電圧は異なる。
【００３１】
ステップＳ４０２において、前記得られた各配線インピーダンスとチャネルとの相関曲線に基づき、各チャネルに関係する各配線の出力電圧を獲得し、各チャネルのスラストを予め設定し、各配線インピーダンスは液晶表示パネルユニットの設計と製造の完了後に固定されるため、各配線に対応する画素の充電電圧を保証するために、従来のＩＣチップにおける各チャネルにはいずれもスラストが予め設定され、予め設定されたスラストはいずれも同じく、同時に各配線インピーダンスが異なるため、一部のチャネルのスラストが足りない現象が発生する可能性がある。
【００３２】
ステップＳ４０３において、それぞれのチャネルの予め設定されたスラストが前記チャネルにおける各配線の出力電圧をいずれも所定の画素充電電圧に達するようにするか否かを判断し、そうである場合、次のステップＳ４０４を実施し、そうでない場合は、次のステップＳ４０５を実施する。
【００３３】
ステップＳ４０４において、実際のスラストは前記それぞれのチャネルにおける予め設定されたスラストであり、前記実際のスラストを獲得した後、次のステップＳ４０６を実施する。
【００３４】
ステップＳ４０５において、同一チャネルにおける前記各配線の出力電圧がいずれも所定の画素充電電圧に達するように、前記チャネルにおける各配線の出力電圧が所定の画素充電電圧に達していない予め設定したスラストを補正し、前記補正された予め設定したスラストを実際のスラストとし、前記実際のスラストを獲得した後、次のステップＳ４０６を実施する。
【００３５】
ステップＳ４０６において、前記獲得された実際のスラストに基づいて、各チャネルの出力端における実際のスラスト曲線を獲得し、図６に示すように、該図はＩＣチップにおける各チャネルと実際のスラストとの相関曲線である。
【００３６】
ステップＳ４０７において、前記獲得された実際のスラスト曲線に基づいて、各チャネルのスラストに正比例する各チャネルの出力端におけるＭＯＳトランジスタの断面積の大きさを調整し、具体的には、獲得された各チャネルの出力端における実際のスラスト曲線に基づいて、各チャネルのスラストのバッファ領域を構築し、各チャネルの出力端におけるＭＯＳトランジスタの断面積の大きさを調整する。
【００３７】
ＭＯＳトランジスタの断面積が大きいほど、単位時間内に通過する電荷も多くなるため、流れる電流が大きいほど、チャネルにおけるスラストも大きく表現され、ＭＯＳトランジスタの断面積が小さく、配線インピーダンスが大きい場合、データ波形の変化速度（例えば、図２に示すＢ、Ｃ二点）に影響を与え、上昇時間と降下時間はいずれも長くなり、最悪の場合は達した画素電圧が実際の所定の画素電圧（例えば、図２に示すＢ、Ｃ二点とＡ点との関係）ではなく、よって色ズレ現象が発生する可能性がある。色ズレ現象を解決するために、ＩＣチップの各チャネルのスラストを同時に増加する場合、ＭＯＳトランジスタの断面積を増加しなければならないため、そのチップの面積を大きくしなければならず、コストは大幅に向上される。本実施例により各チャネルに必要な実際のスラストを獲得することができるため、獲得された各チャネルの出力端における実際のスラスト曲線に基づき、必要に応じて配分することにより各チャネルの出力端におけるＭＯＳトランジスタの断面積の大きさを調整することができ、よってコストを下げる。
【００３８】
図７を参照して、本発明の液晶表示パネルの色ズレ補償システムの実施例を説明する。
図７は本発明の第３実施例により提供される液晶表示パネルの色ズレ補償システムの構造図である。本発明の実施例による液晶表示パネルの色ズレ補償システムは、
液晶表示パネルの扇状の配線時の各配線インピーダンスを獲得し、前記獲得された各配線インピーダンスに基づき、各配線インピーダンスとチャネルとの相関曲線を獲得する第１獲得ユニット７１０と、
前記得られた各配線インピーダンスとチャネルとの相関曲線に基づき、各チャネルの出力端における実際のスラスト曲線を獲得する第２獲得ユニット７２０と、
前記獲得された実際のスラスト曲線に基づき、各チャネルの出力端におけるＭＯＳトランジスタの断面積の大きさを調整する調整ユニット７３０と、を含む。
【００３９】
本発明の実施例において、液晶表示パネルの色ズレ補償システムにおける液晶表示パネルは多結晶薄膜トライゲートトランジスタの液晶表示パネルであり、該システムにおける各配線のインピーダンスは各配線の長さ及び幅に基づいて算出し獲得され、該システムにおける各チャネルの出力端におけるＭＯＳトランジスタの断面積の大きさは各チャネルのスラストに正比例する。
【００４０】
本発明の実施例において、液晶表示パネルの色ズレ補償システムは、まず液晶表示パネルユニットの扇状の配線時の各配線インピーダンスを獲得し、獲得された各配線インピーダンスに基づき、第１獲得ユニット７１０において各配線インピーダンスとチャネルとの相関曲線を獲得し、その後、獲得された各配線インピーダンスとチャネルとの相関曲線に基づき、第２獲得ユニット７２０において各チャネルの出力端に必要なスラスト曲線を獲得し、その後、獲得されたスラスト曲線に基づき、調整ユニット７３０において各チャネルの出力端におけるＭＯＳトランジスタの断面積の大きさを調整する。
【００４１】
本発明の実施例を実施することにより、以下のような好適な効果を得られる。
１．トランジスタのソース側の各チャネルに、各配線の画素充電電圧により変化するスラストを設けることにより、各配線の出力電圧をいずれも画素充電電圧に達するようにし、よって従来技術における液晶表示パネルのグレースケール混色画面におけるスラスト不足による色ズレ問題を解決し、画面表示の品質を向上している。
２．設けられたスラストが各チャネルの出力端におけるＭＯＳトランジスタの断面積の大きさに正比例するため、必要なスラストが小さいほど、ＭＯＳトランジスタの断面積は小さくなり、必要なスラストが大きいほど、ＭＯＳトランジスタの断面積は大きくなり、よってチップのサイズを大幅に減少させ、設計のコストを低減している。
【００４２】
ここで注意しなければならないことは、上記システムの実施例において、含まれる各システムユニットは機能的ロジックにより区分されただけであり、上記区分に限定されるものではなく、対応する機能さえ実現できればよく、また、各機能ユニットの具体的な名称も互い区分しやすくするためのものであり、本発明の保護範囲を限定するものではない。
【００４３】
当業者であれば、上記実施例の方法における全部又は一部のステップはプログラムを通じて関連するハードウェアを指令することにより実現することができ、前記プログラムはコンピューターの読み取り可能な記憶媒体に記憶することができ、前記記憶媒体は、例えばＲＯＭ／ＲＡＭ、磁気ディスク、光ディスク等であることを理解できるだろう。
【００４４】
以上の開示されたものは本発明の好ましい実施例に過ぎず、当然ながら、それにより本発明の特許請求の範囲を限定することができないため、本発明の請求項による等価変化は、依然として本発明に含まれる範囲に属する。
【図１】
2017501444.tif 000003
【図２】
2017501444.tif 000004
【図３】
2017501444.tif 000005
【図４】
2017501444.tif 000006
【図５】
2017501444.tif 000007
【図６】
2017501444.tif 000008
【図７】
2017501444.tif 000009
【国際調査報告】
2017501444.tif 000010
2017501444.tif 000011
2017501444.tif 000012
2017501444.tif 000013